(57)【要約】  本発明は、使用者によって選択された被乾燥物を優先して乾燥させることができる除湿機を提供することを目的とする。本発明に係る除湿機は、吸込口２、吹出口３及び表示部５ａを有した筐体１と、吸込口２から筐体１の内部に吸い込んだ空気を吹出口３から吹き出す送風部と、送風部によって吸い込まれた空気が通過するように筐体１の内部に設けられ、通過する空気から水分を除去する除湿部１０と、吹出口３から吹き出される空気の方向を変える風向変更部と、吹出口３から吹き出される空気を送風可能な複数の送風可能エリアを表示部５ａに表示させる制御部１２と、表示部５ａに表示された複数の送風可能エリアから送風対象エリアを選択する選択操作を受け付ける操作部５と、を備え、制御部１２は、操作部５が選択操作を受け付けた場合に当該選択操作で選択された送風対象エリアに対して送風されるように風向変更部を動作させるものである。
2017163470.tif 000002
【特許請求の範囲】
【請求項１】
吸込口、吹出口及び表示部を有した筐体と、
前記吸込口から前記筐体の内部に吸い込んだ空気を前記吹出口から吹き出す送風部と、
前記送風部によって吸い込まれた空気が通過するように前記筐体の内部に設けられ、通過する空気から水分を除去する除湿部と、
前記吹出口から吹き出される空気の方向を変える風向変更部と、
前記吹出口から吹き出される空気を送風可能な複数の送風可能エリアを前記表示部に表示させる制御部と、
前記表示部に表示された複数の送風可能エリアから送風対象エリアを選択する選択操作を受け付ける操作部と、
を備え、
前記制御部は、前記操作部が選択操作を受け付けた場合に当該選択操作で選択された送風対象エリアに対して送風されるように前記風向変更部を動作させる除湿機。
【請求項２】
被乾燥物の乾燥度を検出する乾燥度検出部を備え、
前記制御部は、前記操作部が受け付けた選択操作で選択された送風対象エリアから前記乾燥度検出部により検出される乾燥度の変化に応じて、前記表示部における当該送風対象エリアの表示を変化させる請求項１に記載の除湿機。
【請求項３】
前記制御部は、優先順位を指定して複数の送風対象エリアを選択する選択操作を前記操作部が受け付けた場合、前記吹出口から吹き出される空気が現在送風されている送風対象エリアから前記乾燥度検出部により検出された乾燥度に基づいて当該送風対象エリアに存在する被乾燥物が乾いたと判定された後に当該送風対象エリアの次に優先順位の高い他の送風対象エリアに対して送風されるように前記風向変更部を動作させる請求項２に記載の除湿機。
【請求項４】
前記制御部は、優先順位を指定して複数の送風対象エリアを選択する選択操作を前記操作部が受け付けた場合、当該選択操作で選択された複数の送風対象エリアに対して優先順位の高い順に一定時間ずつ送風されるように前記風向変更部を動作させる請求項１又は２に記載の除湿機。
【請求項５】
光を照射する照射部を備え、
前記制御部は、前記操作部が受け付けた選択操作で選択された送風対象エリアを示す方向に光が照射されるように前記照射部からの光の照射方向を変化させる請求項１から４のいずれか１項に記載の除湿機。
【請求項６】
前記除湿部により除去された水分を貯留する貯水タンクと、
前記貯水タンクに貯留されている水量を検出する水量検出部と、
を備え、
前記制御部は、前記水量検出部により検出される水量が予め設定された値以上になった場合に前記除湿部の動作を停止させる請求項１から５のいずれか１項に記載の除湿機。
【発明の詳細な説明】
【技術分野】
【０００１】
本発明は、除湿機に関する。
【背景技術】
【０００２】
下記特許文献１には、衣類乾燥装置が記載されている。当該衣類乾燥装置において、風向変更板は、乾燥空気を吹き出す吹出口に配置されている。駆動手段は、風向変更板の回転軸を回転させる。このため、当該衣類乾燥装置は、干された複数の衣類の全体に対して乾燥空気を送風し得る。
【先行技術文献】
【特許文献】
【０００３】
【特許文献１】日本特開２０１０−６９２８６号公報
【発明の概要】
【発明が解決しようとする課題】
【０００４】
特許文献１に記載の衣類乾燥装置では、使用者の意思に基づいて特定の被乾燥物を優先して乾燥させることができない。【０００５】
本発明は、上記の課題を解決するためになされた。その目的は、使用者によって選択された被乾燥物を優先して乾燥させることができる除湿機を提供することである。
【課題を解決するための手段】
【０００６】
本発明に係る除湿機は、吸込口、吹出口及び表示部を有した筐体と、吸込口から筐体の内部に吸い込んだ空気を吹出口から吹き出す送風部と、送風部によって吸い込まれた空気が通過するように筐体の内部に設けられ、通過する空気から水分を除去する除湿部と、吹出口から吹き出される空気の方向を変える風向変更部と、吹出口から吹き出される空気を送風可能な複数の送風可能エリアを表示部に表示させる制御部と、表示部に表示された複数の送風可能エリアから送風対象エリアを選択する選択操作を受け付ける操作部と、を備え、制御部は、操作部が選択操作を受け付けた場合に当該選択操作で選択された送風対象エリアに対して送風されるように風向変更部を動作させるものである。
【発明の効果】
【０００７】
本発明に係る除湿機において、制御部は、操作部が選択操作を受け付けた場合に当該選択操作で選択された送風対象エリアに対して送風されるように風向変更部を動作させる。このため、本発明によれば、使用者によって選択された被乾燥物を優先して乾燥させることができる。
【図面の簡単な説明】
【０００８】
【図１】本発明の実施の形態１における除湿機の外観斜視図である。
【図２】本発明の実施の形態１における除湿機の内部を示す概略構成図である。
【図３】本発明の実施の形態１におけるルーバーを拡大して示す概略斜視図である。
【図４】本発明の実施の形態１における表示部の表示内容の一例を示す図である。
【図５】本発明の実施の形態１における除湿機の動作の一例を示す概念図である。
【図６】本発明の実施の形態１における除湿機の動作の一例を示すフローチャートである。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図１は、実施の形態１における除湿機の外観斜視図である。除湿機は、例えば、室内に設置される。
【００１１】
図１に示すように、除湿機は、筐体１、吸込口２、吹出口３、ルーバー４、操作部５及び貯水タンク６を備えている。筐体１は、自立可能に形成されている。吸込口２は、筐体１の背面に形成されている。吹出口３は、筐体１の上部の前側に形成されている。ルーバー４は、吹出口３に配置されている。操作部５は、筐体１の上面に設けられている。操作部５は、表示部５ａを有している。貯水タンク６は、例えば、着脱可能に、筐体１の内部に設けられている。
【００１２】
操作部５は、例えば、押しボタン及びタッチパネル等である。表示部５ａは、例えば、液晶ディスプレイ又はタッチパネル等である。なお、タッチパネルは、操作部５と表示部５ａを兼ねることが可能である。
【００１３】
図２は、実施の形態１における除湿機の内部を示す概略構成図である。
【００１４】
図２に示すように、除湿機は、送風ファン７、温度センサー８、湿度センサー９、除湿部１０、水位センサー１１及び制御部１２を備えている。筐体１の内部には、吸込口２から吹出口３に至る風路が形成されている。送風ファン７、温度センサー８、湿度センサー９及び除湿部１０は、風路に設けられている。温度センサー８及び湿度センサー９は、除湿部１０よりも吸込口２側に配置されている。送風ファン７は、除湿部１０よりも吹出口３側に配置されている。制御部１２は、操作部５、表示部５ａ、送風ファン７、温度センサー８、湿度センサー９、除湿部１０及び水位センサー１１と電気的に接続されている。
【００１５】
操作部５は、除湿機の使用者による操作を受け付ける。操作部５が受け付ける操作は、例えば、除湿機の電源をオン又はオフする操作である。操作部５が受け付ける操作は、例えば、除湿機の運転モードを決定する操作である。
【００１６】
表示部５ａは、例えば、文字、記号及び画像等で除湿機の使用状態を示す情報を表示する。表示部５ａは、例えば、ランプの点灯及び点滅等で情報を表示してもよい。
【００１７】
送風ファン７は、吸込口２から吹出口３に向かう気流を風路に発生させる。つまり、送風ファン７は、吸込口２から筐体１の内部に吸い込んだ空気を吹出口３から吹き出す送風部として働く。
【００１８】
温度センサー８は、吸込口２から筐体１の内部に吸い込まれた空気の温度を検出する。つまり、温度センサー８は、室内空気Ａの温度を検出する温度検出部として働く。湿度センサー９は、吸込口２から筐体１の内部に吸い込まれた空気の湿度を検出する。つまり、湿度センサー９は、室内空気Ａの湿度を検出する湿度検出部として働く。温度センサー８及び湿度センサー９による検出結果を示す信号は、制御部１２に送信される。
【００１９】
除湿部１０は、通過する空気から水分を除去する。つまり、除湿部１０は、室内空気Ａに含まれる水分を除去して乾燥空気Ｂを生成する。除湿部１０によって室内空気Ａから除去された水分は、凝縮水として貯水タンク６に貯留される。水位センサー１１は、貯水タンク６に貯留されている水量を検出する水量検出部として働く。水位センサー１１による検出結果を示す信号は、制御部１２に送信される。
【００２０】
除湿部１０は、空気中の水分を除去して凝縮させることができるものであればよい。除湿部１０は、例えば、ヒートポンプ回路の蒸発器において空気中の水分を凝縮させる方式を用いるものでもよい。除湿部１０は、例えば、吸着剤によって除去された空気中の水分を熱交換器で凝縮させるデシカント方式を用いるものでもよい。
【００２１】
制御部１２は、操作部５が受け付けた操作に基づいて、表示部５ａ、送風ファン７及び除湿部１０の動作を制御することが可能である。制御部１２は、温度センサー８、湿度センサー９及び水位センサー１１による検出結果の少なくとも１つに基づいて、表示部５ａ、送風ファン７及び除湿部１０の動作を制御することが可能である。
【００２２】
制御部１２は、例えば、操作部５が受け付けた操作により除湿機の運転モードが衣類乾燥モードに決定されたことを検知した場合、送風ファン７及び除湿部１０を駆動させる。これにより、室内空気Ａは、図１及び図２に矢印で示すように、吸込口２から筐体１の内部に取り込まれる。室内空気Ａは、除湿部１０により除湿されて乾燥空気Ｂとなる。乾燥空気Ｂは、図１及び図２に矢印で示すように、吹出口３から室内に吹き出される。乾燥空気Ｂは、吹出口３から吹き出される際にルーバー４を通過する。
【００２３】
制御部１２は、水位センサー１１が検出する水量に応じて除湿部１０の制御を行う。制御部１２は、例えば、水位センサー１１からの信号により貯水タンク６内の水量が予め設定された値以上になったことを検知した場合、除湿部１０の運転を停止させる。
【００２４】
図３は、実施の形態１におけるルーバーを拡大して示す概略斜視図である。
【００２５】
図３に示すように、除湿機は、風向板１３、風向板駆動用モーター１４及びルーバー駆動用モーター１５を備えている。風向板１３は、上下方向に沿って、ルーバー４の内側に複数設けられている。風向板１３は、一定の角度範囲で左右に回転可能に設けられている。個々の風向板１３は、ルーバー４に対してそれぞれ異なる角度をなすことも可能である。ルーバー４は、一定の角度範囲で上下に回転可能に設けられている。風向板駆動用モーター１４及びルーバー駆動用モーター１５は、制御部１２と電気的に接続されている。
【００２６】
図３に示すように、除湿機は、赤外線センサー１６及び照射部１７を備えている。赤外線センサー１６及び照射部１７は、例えば、ルーバー４の中央に配置された風向板１３に取り付けられている。赤外線センサー１６及び照射部１７は、制御部１２と電気的に接続されている。
【００２７】
風向板駆動用モーター１４は、風向板１３を一定の角度範囲で左右に回転させる。つまり、風向板駆動用モーター１４は、風向板１３の向きを横方向に変化させる。個々の風向板１３は、それぞれ別の方向を向くことも可能である。ルーバー駆動用モーター１５は、ルーバー４を一定の角度範囲で上下に回転させる。つまり、ルーバー駆動用モーター１５は、ルーバー４の向きを縦方向に変化させる。吹出口３から吹き出される乾燥空気Ｂの向きは、風向板１３及びルーバー４の向きに応じて変化する。つまり、ルーバー４、風向板１３、風向板駆動用モーター１４及びルーバー駆動用モーター１５は、吹出口３から吹き出される空気の方向を変える風向変更部として働く。
【００２８】
赤外線センサー１６は、物体の表面温度を検出する。赤外線センサー１６は、風向板１３に取り付けられている場合、風向板１３及びルーバー４の向きと同じ方向にある物体の表面温度を検出する。この場合、赤外線センサー１６により表面温度を検出可能な範囲は、吹出口３から吹き出される乾燥空気Ｂを送風可能な範囲と同等である。赤外線センサー１６は、例えば、室内に干されている洗濯物等の被乾燥物の乾燥度を検出する乾燥度検出部として働く。なお、乾燥度とは、例えば、被乾燥物の表面温度そのもの又は表面温度から算出される値等である。赤外線センサー１６による検出結果を示す信号は、制御部１２に送信される。
【００２９】
赤外線センサー１６による乾燥度の検出は、例えば、定期的に行われる。赤外線センサー１６による乾燥度の検出は、例えば、制御部１２による各部の制御に応じて必要な場合に行われてもよい。
【００３０】
照射部１７は、光を照射する。照射部１７は、例えば、ＬＥＤ光源又はレーザー光源等を用いたものである。照射部１７は、風向板１３に取り付けられている場合、風向板１３及びルーバー４の向きと同じ方向に光を照射する。この場合、照射部１７からの光を照射可能な範囲は、吹出口３から吹き出される乾燥空気Ｂを送風可能な範囲と同等である。
【００３１】
制御部１２は、操作部５が受け付けた操作に基づいて、風向板駆動用モーター１４、ルーバー駆動用モーター１５及び照射部１７の動作を制御することが可能である。制御部１２は、赤外線センサー１６による検出結果に基づいて、表示部５ａ、送風ファン７、除湿部１０、風向板駆動用モーター１４、ルーバー駆動用モーター１５及び照射部１７の動作を制御することが可能である。
【００３２】
制御部１２は、吹出口３から吹き出される乾燥空気Ｂを送風可能な全範囲を分割したものとして、複数の送風可能エリアを設定する。送風可能エリアの数は、２つ以上の任意の数に設定可能である。送風可能エリアは、左右に並ぶように設定されてもよい。送風可能エリアは、上下に並ぶように設定されてもよい。
【００３３】
制御部１２は、送風可能エリアを表示部５ａに表示させる。操作部５は、表示部５ａに表示された複数の送風可能エリアから送風対象エリアを選択する選択操作を受け付ける。制御部１２は、操作部５が選択操作を受け付けた場合に、当該選択操作で選択された送風対象エリアに対して送風されるように風向変更部を動作させる。
【００３４】
照射部１７は、例えば、操作部５が選択操作を受け付けた場合に、光を照射する。照射部１７は、風向板１３に取り付けられている場合、乾燥空気Ｂの送風方向と同じ方向に照射される。つまり、制御部１２は、風向変更部を動作させることで、送風対象エリアを示す方向に光が照射されるように、照射部１７からの光の照射方向を変化させる。照射部１７は、使用者に対して送風対象エリアを視覚的に示す手段として働く。なお、照射部１７は、操作部５が選択操作とは異なる特定の操作を受け付けた場合に光を照射してもよい。
【００３５】
図４は、実施の形態１における表示部の表示内容の一例を示す図である。図５は、実施の形態１における除湿機の動作の一例を示す概念図である。
【００３６】
図４は、乾燥空気Ｂを送風可能な全範囲を左右に３分割したものとして、３つの送風可能エリアが表示部５ａに表示された状態を示している。使用者は、操作部５に対して選択操作を行うことで送風対象エリアを選択する。
【００３７】
図５は、図４における３つの送風可能エリアのうち真ん中の送風可能エリアが送風対象エリアとして選択された状態を示している。この場合、除湿機から吹き出される乾燥空気Ｂは、当該送風対象エリアに対して送風される。また、照射部１７からの光は、当該送風対象エリアに対して照射される。
【００３８】
以下、制御部１２による制御内容について詳細に説明する。
【００３９】
制御部１２は、例えば、選択操作により選択された送風対象エリアに対して一定時間の間だけ送風されるように風向変更部を動作させる。当該一定時間は、予め設定されたものでもよく、操作部５を用いて任意に入力されたものでもよい。制御部１２は、当該一定時間が経過した後は、例えば、送風ファン７及び風向変更部の動作を停止させてもよい。また、制御部１２は、当該一定時間が経過した後は、例えば、送風対象エリアとして選択されていない送風可能エリアの一部又は全部に対して送風されるように風向変更部を動作させてもよい。
【００４０】
操作部５は、複数の送風対象エリアを選択する選択操作を受け付けることも可能である。制御部１２は、複数の送風対象エリアが選択された場合、例えば、全ての送風対象エリアに対して均一に送風されるように風向変更部を動作させる。一方、送風対象エリアが１つも選択されなかった場合には、制御部１２は、例えば、全ての送風可能エリアに対して均一に送風されるように風向変更部を動作させる。
【００４１】
操作部５は、使用者が優先順位を指定して複数の送風対象エリアを選択する選択操作を受け付けることも可能である。優先順位は、例えば、表示部５ａに表示された複数の送風可能エリアから個々の送風対象エリアが選択される順番に基づいて指定される。制御部１２は、優先順位を指定して複数の送風対象エリアが選択された場合、例えば、より優先順位の高い送風対象エリアに一定時間送風された後に、次に優先順位の高い送風対象エリアに一定時間送風されるように風向変更部を動作させる。つまり、制御部１２は、例えば、各送風対象エリアに対して優先順位の高い順に一定時間ずつ送風されるように風向変更部を動作させる。
【００４２】
制御部１２は、赤外線センサー１６により検出される被乾燥物の乾燥度に基づいて表示部５ａを制御してもよい。制御部１２は、例えば、赤外線センサー１６によって送風対象エリアから検出される乾燥度の変化に応じて、表示部５ａにおける当該送風対象エリアの表示を変化させてもよい。つまり、制御部１２は、送風対象エリアに存在する被乾燥物の乾燥の進み具合を表示部５ａに表示させてもよい。表示部５ａにおける表示の変化は、例えば、色を変えること及び点滅させること等により行われる。
【００４３】
制御部１２は、例えば、送風対象エリアとして選択されていない送風可能エリアから検出される乾燥度の変化に応じて、表示部５ａにおける当該送風可能エリアの表示を変化させてもよい。つまり、制御部１２は、送風対象エリアでない送風可能エリアに存在する被乾燥物の乾燥の進み具合を表示部５ａに表示させてもよい。
【００４４】
制御部１２は、優先順位を指定せずに複数の送風対象エリアが選択された場合又は送風対象エリアが１つも選択されなかった場合に、赤外線センサー１６により検出された被乾燥物の乾燥度に基づいて風向変更部を動作させてもよい。この場合、制御部１２は、例えば、乾燥度に基づいて乾燥の進み具合が遅いと判定された被乾燥物が存在する送風対象エリア又は送風可能エリアに優先して送風されるように風向変更部を動作させる。
【００４５】
制御部１２は、優先順位を指定して複数の送風対象エリアが選択された場合に、赤外線センサー１６により検出された被乾燥物の乾燥度に基づいて風向変更部を動作させてもよい。この場合、制御部１２は、例えば、現在送風されている送風対象エリアから検出された乾燥度に基づいて当該送風対象エリアに存在する被乾燥物が乾いたと判定された後に、当該送風対象エリアの次に優先順位の高い他の送風対象エリアに対して送風されるように風向変更部を動作させる。つまり、制御部１２は、例えば、より優先順位の高い送風対象エリアに存在する被乾燥物が乾いた後に、次に優先順位の高い送風対象エリアに送風されるように風向変更部を動作させる。
【００４６】
制御部１２は、赤外線センサー１６により検出された乾燥度に基づいて送風対象エリア又は送風可能エリアに存在する被乾燥物が乾いたと判定された場合に、表示部５ａにおける当該送風可能エリア又は当該送風可能エリアの表示を変化させることで、被乾燥物が乾いたことを使用者に報知してもよい。また、制御部１２は、図示しないスピーカーからブザー音等を鳴動させることで、被乾燥物が乾いたことを使用者に報知してもよい。制御部１２は、全ての送風対象エリア及び全ての送風可能エリアに存在する被乾燥物が乾いたと判定された場合、例えば、送風ファン７及び除湿部１０の運転を停止させる。
【００４７】
図６は、実施の形態１における除湿機の動作の一例を示すフローチャートである。
【００４８】
制御部１２は、送風対象エリアを選択する選択操作が行われたか否かを判定する（ステップＳ１０１）。ステップＳ１０１で選択操作が行われたと判定された場合、制御部１２は、優先順位が指定されたか否かを判定する（ステップＳ１０２）。
【００４９】
ステップＳ１０２で優先順位が指定されたと判定された場合、制御部１２は、最も優先順位の高い送風対象エリアに送風されるように風向変更部を動作させる（ステップＳ１０３）。その後、制御部１２は、一定時間が経過したか否かを判定する（ステップＳ１０４）。ステップＳ１０４で一定時間が経過していないと判定された場合、制御部１２は、当該送風対象エリアへの送風を継続させる。
【００５０】
ステップＳ１０４で一定時間が経過したと判定された場合、制御部１２は、次に順位の高い送風対象エリアがあるか否かを判定する（ステップＳ１０５）。ステップＳ１０５で次に順位の高い送風対象エリアがあると判定された場合、制御部１２は、次に順位の高い送風対象エリアに送風されるように風向変更部を動作させる（ステップＳ１０６）。その後、制御部１２は、一定時間が経過したか否かを判定する（ステップＳ１０７）。ステップＳ１０７で一定時間が経過していないと判定された場合、制御部１２は、当該送風対象エリアへの送風を継続させる。
【００５１】
ステップＳ１０７で一定時間が経過したと判定された場合、制御部１２は、ステップＳ１０５の処理を行う。ステップＳ１０５で次に順位の高い送風対象エリアがないと判定された場合、制御部１２は、例えば、送風ファン７及び除湿部１０の運転を停止させる。
【００５２】
ステップＳ１０１で選択操作が行われていないと判定された場合、制御部１２は、均一に送風されるように風向変更部を動作させる（ステップＳ１０８）。ステップＳ１０１の処理に続いて行われる場合、ステップＳ１０８では、全ての送風可能エリアに対して均一に送風される。
【００５３】
ステップＳ１０２で優先順位が指定されていないと判定された場合、制御部１２は、ステップＳ１０８の処理を行う。ステップＳ１０２の処理に続いて行われる場合、ステップＳ１０８では、全ての送風対象エリアに対して均一に送風される。
【００５４】
ステップＳ１０８の後、制御部１２は、一定時間が経過したか否かを判定する（ステップＳ１０９）。ステップＳ１０９で一定時間が経過していないと判定された場合、制御部１２は、均一な送風を継続させる。ステップＳ１０９で一定時間が経過したと判定された場合、制御部１２は、例えば、送風ファン７及び除湿部１０の運転を停止させる。
【００５５】
なお、ステップＳ１０４、ステップＳ１０７及びステップＳ１０９の処理は、時間の経過を判定するものでなくともよい。ステップＳ１０４、ステップＳ１０７及びステップＳ１０９の処理は、例えば、現在送風されている送風対象エリア又は送風可能エリアに存在する被乾燥物が乾いたか否かを判定するものでもよい。
【００５６】
実施の形態１において、除湿部１０は、送風部によって吸い込まれた空気が通過するように筐体１の内部に設けられ、通過する空気から水分を除去する。風向変更部は、吹出口３から吹き出される空気の方向を変える。制御部１２は、吹出口３から吹き出される空気を送風可能な複数の送風可能エリアを表示部５ａに表示させる。操作部５は、表示部５ａに表示された複数の送風可能エリアから少なくとも１つの送風対象エリアを選択する選択操作を受け付ける。制御部１２は、操作部５が選択操作を受け付けた場合に、当該選択操作で選択された送風対象エリアに対して送風されるように風向変更部を動作させる。実施の形態１によれば、使用者の意思で乾燥空気が送風されるエリアを決定することができる。その結果、使用者によって選択された被乾燥物を優先して乾燥させることができる。
【００５７】
実施の形態１において、制御部１２は、操作部５が受け付けた選択操作で選択された送風対象エリアから乾燥度検出部により検出される乾燥度の変化に応じて、表示部５ａにおける当該送風対象エリアの表示を変化させる。つまり、送風対象エリアに存在する被乾燥物の乾燥の進み具合を使用者に知らせることができる。その結果、除湿機の使用者の利便性を向上させることができる。
【００５８】
実施の形態１において、制御部１２は、優先順位を指定して複数の送風対象エリアを選択する選択操作を操作部５が受け付けた場合、吹出口３から吹き出される空気が現在送風されている送風対象エリアから乾燥度検出部により検出された乾燥度に基づいて当該送風対象エリアに存在する被乾燥物が乾いたと判定された後に当該送風対象エリアの次に優先順位の高い他の送風対象エリアに対して送風されるように風向変更部を動作させる。つまり、使用者の意思で、複数のエリアに乾燥空気が送風される順番を付けることができる。その結果、使用者によって設定された順番で、複数の被乾燥物を乾燥させることができる。
【００５９】
実施の形態１において、制御部１２は、優先順位を指定して複数の送風対象エリアを選択する選択操作を操作部５が受け付けた場合、当該選択操作で選択された複数の送風対象エリアに対して優先順位の高い順に一定時間ずつ送風されるように風向変更部を動作させる。つまり、使用者の意思で、複数のエリアに乾燥空気が送風される順番を付けることができる。その結果、使用者によって設定された順番で、複数の被乾燥物を乾燥させることができる。
【００６０】
実施の形態１において、制御部１２は、操作部５が受け付けた選択操作で選択された送風対象エリアを示す方向に光が照射されるように照射部１７からの光の照射方向を変化させる。つまり、使用者に対して送風対象エリアを視覚的に示すことができる。その結果、除湿機の使用者の利便性を向上させることができる。
【００６１】
実施の形態１において、制御部１２は、水量検出部により検出される水量が予め設定された値以上になった場合に除湿部１０の動作を停止させる。これにより、貯水タンク６から水が溢れることを防ぐことができる。
【００６２】
実施の形態１において、赤外線センサー１６及び照射部１７は、例えば、筐体１の表面に取り付けられていてもよい。この場合、赤外線センサー１６及び照射部１７は、例えば、制御部１２によって向きを変更可能に設けられる。赤外線センサー１６により表面温度を検出可能な範囲は、例えば、吹出口３から吹き出される乾燥空気Ｂを送風可能な範囲と同等に設定される。また、照射部１７からの光を照射可能な範囲は、例えば、吹出口３から吹き出される乾燥空気Ｂを送風可能な範囲と同等に設定される。
【００６３】
実施の形態１において、照射部１７は、光を送風対象エリアに直接照射するものでなくともよい。照射部１７は、例えば、干されている被乾燥物の下方の床等に光を照射することで、送風対象エリアを視覚的に示してもよい。
【００６４】
実施の形態１において、送風対象エリアを視覚的に示す手段は、光を照射するものでなくともよい。例えば、送風対象エリアを視覚的に示す手段として、ルーバー４、風向板１３又は筐体１の表面にレンズ等を取り付けてもよい。当該レンズ等は、覗き込んだときに見える範囲が送風対象エリアとなるように設けられる。筐体１の表面に取り付けられる場合、当該レンズ等は、例えば、制御部１２によって向きを変更可能に設けられる。
【産業上の利用可能性】
【００６５】
以上のように、本発明は、使用者によって選択された被乾燥物を優先して乾燥させる除湿機に利用できる。
【符号の説明】
【００６６】
１  筐体
２  吸込口
３  吹出口
４  ルーバー
５  操作部
５ａ  表示部
６  貯水タンク
７  送風ファン
８  温度センサー
９  湿度センサー
１０  除湿部
１１  水位センサー
１２  制御部
１３  風向板
１４  風向板駆動用モーター
１５  ルーバー駆動用モーター
１６  赤外線センサー
１７  照射部
Ａ  室内空気
Ｂ  乾燥空気
【図１】
2017163470.tif 000003
【図２】
2017163470.tif 000004
【図３】
2017163470.tif 000005
【図４】
2017163470.tif 000006
【図５】
2017163470.tif 000007
【図６】
2017163470.tif 000008
【国際調査報告】
2017163470.tif 000009
2017163470.tif 000010
2017163470.tif 000011
2017163470.tif 000012